(57)【特許請求の範囲】
【請求項１】
マットレスの載置されるベッドフレームであって、
左右いずれか一方の側に配されてヘッドボードとフットボード又はフットフレームとをつなぐサイドフレームと、
このサイドフレームの側と反対の側に配されてヘッドボードとフットボード又はフットフレームとをつなぐ箱状フレーム構成体とを有しており、
箱状フレーム構成体は、ヘッドボードとの接合側とフットボード又はフットフレームとの接合側とにそれぞれ、高さと幅とを等しくする抽斗収納部を有すると共に、
この二箇所の抽斗収納部のいずれか一方に収納される第一の抽斗体と、
この二箇所の抽斗収納部の他方の上側に収納される第二の抽斗体と、
この二箇所の抽斗収納部の他方において第二の抽斗体の下側に収納される第三の抽斗体とを有しており、
第二の抽斗体は、少なくとも前面を開放させてこの開放された前面をこの第二の抽斗体の引き出し口とした内箱体に収納されていると共に、二箇所の抽斗収納部の内部にはそれぞれこの内箱体の底部の支持部が形成されており、
しかも、二箇所の抽斗収納部においてそれぞれ、これを構成する箱状フレーム構成体の天板部に、内箱体の引き出し口側の天板部に形成されたボルトの通し孔に挿通されるボルトのネジつけられるナット体が備えられていることを特徴とするベッドフレーム。
【請求項２】
内箱体の底板部におけるボルトの通し孔の直下となる位置に操作用開放部が形成されていることを特徴とする請求項１に記載のベッドフレーム。
【発明の詳細な説明】
【技術分野】
【０００１】
この発明は、マットレスを載置されてベッドを構成するベッドフレームの改良に関する。
【背景技術】
【０００２】
マットレスの載置されるベッド本体に、抽斗を内蔵させたものがある。（特許文献１参照）この特許文献１のベッドにあっては、ベッド本体が抽斗を納める箱状体を有している。このベッドにあっては、箱状体内は複数の仕切り体により区分されるようになっており、この仕切り体の取り付け位置を変えることで、大きい抽斗とそれ以外の抽斗の収納位置を変えることができるようになっている。
しかるに、この特許文献１のベッドでは、一つの抽斗の収納部に、上下二段に抽斗が納められるような態様のものについての考慮はなく、また、抽斗の取り付け位置を変えるために、仕切り体の付け替えを要させるものであった。
【先行技術文献】
【特許文献】
【０００３】
【特許文献１】特開２００４−１５９８２７号公報
【発明の概要】
【発明が解決しようとする課題】
【０００４】
この発明が解決しようとする主たる問題点は、ベッドフレーム（特許文献１のベッド本体に相当）の一部に上下二段の抽斗体を備えさせるようにする場合に、この上下二段の抽斗体の収納位置を、ベッドフレームに内蔵される抽斗の構成（数と種類）及びベッドフレームの造作に変更を生じさせることなく、必要に応じて容易に変更できるようにする点にある。
【課題を解決するための手段】
【０００５】
前記課題を達成するために、この発明にあっては、ベッドフレームを、マットレスの載置されるベッドフレームであって、
左右いずれか一方の側に配されてヘッドボードとフットボード又はフットフレームとをつなぐサイドフレームと、
このサイドフレームの側と反対の側に配されてヘッドボードとフットボード又はフットフレームとをつなぐ箱状フレーム構成体とを有しており、
箱状フレーム構成体は、ヘッドボードとの接合側とフットボード又はフットフレームとの接合側とにそれぞれ、高さと幅とを等しくする抽斗収納部を有すると共に、
この二箇所の抽斗収納部のいずれか一方に収納される第一の抽斗体と、
この二箇所の抽斗収納部の他方の上側に収納される第二の抽斗体と、
この二箇所の抽斗収納部の他方において第二の抽斗体の下側に収納される第三の抽斗体とを有しており、
第二の抽斗体は、少なくとも前面を開放させてこの開放された前面をこの第二の抽斗体の引き出し口とした内箱体に収納されていると共に、二箇所の抽斗収納部の内部にはそれぞれこの内箱体の底部の支持部が形成されているものとした。
【０００６】
かかる構成によれば、箱状フレーム構成体が、ベッドの右側に配される場合でも、左側に配される場合でも、第一の抽斗体と内箱体及び第三の抽斗体とを単純に入れ替えることで、典型的には、この箱状フレーム構成体におけるヘッドボードとの接合側に第二の抽斗体が配されるようにすることができる。すなわち、第二の抽斗体は前記支持部に支持される内箱体に納められるようになっていることから、二箇所の抽斗収納部のどちらの内部にもこの支持部上に内箱体を納め込めばそれだけでその下方に第三の抽斗体の収納スペースを確保した状態で第二の抽斗体は容易かつ適切に設置させることができる。それと共に、前記二箇所の抽斗収納部のうち、第二の抽斗体の設置されない抽斗収納部には、第一の抽斗体を支障なく収納させることができる。
【０００７】
前記二箇所の抽斗収納部においてそれぞれ、これを構成する箱状フレーム構成体の天板部に、内箱体の引き出し口側の天板部に形成されたボルトの通し孔に挿通されるボルトのネジつけられるナット体を備えさせておくこともある。この場合、さらに、内箱体の底板部におけるボルトの通し孔の直下となる位置には操作用開放部を形成させておくことが好ましい。このようにした場合、前記二箇所の抽斗収納部のいずれかの支持部上に内箱体を納めた状態を前記ナット体へのボルトのネジつけにより安定的に維持させることができる。また、前記操作用開放部によって、このボルトのネジつけ作業を内箱体の直下位置から容易に行うことができる。
【発明の効果】
【０００８】
この発明によれば、ベッドフレームの一部に上下二段の抽斗体を備えさせるようにする場合に、この上下二段の抽斗体の収納位置を、ベッドフレームに内蔵される抽斗の構成（数と種類）及びベッドフレームの造作に変更を生じさせることなく、必要に応じて容易に変更することができる。
【図面の簡単な説明】
【０００９】
【図１】図１はベッドフレームの平面構成図である。
【図２】図２は箱状フレーム構成体の分解斜視構成図である。
【図３】図３は第二の抽斗体及び内箱体の斜視構成図であり、第二の抽斗体に対する引き出しレールの記載を省略して示している。
【図４】図４は第二の抽斗体、内箱体及び第三の抽斗体の箱状フレーム構成体への収納状態を示した断面構成図である。
【発明を実施するための形態】
【００１０】
以下、図１〜図４に基づいて、この発明の典型的な実施の形態について、説明する。この実施の形態にかかるベッドフレームは、ベッドの下部を構成するものであって、図示しないマットレスを載置されてベッドを構成するものである。
【００１１】
かかるベッドフレームは、前記のように構成されるベッドの左右いずれか一方の側に配されてヘッドボードＨとフットボード又はフットフレームＦとをつなぐサイドフレームＳ（サイドレールとも称される。）と、このサイドフレームＳの側と反対の側に配されてヘッドボードＨとフットボード又はフットフレームＦとをつなぐ箱状フレーム構成体Ｂとを有している。
【００１２】
図示の例では、サイドフレームＳは、ヘッドボードＨの右端とフットフレームＦの右端との間に介在されて両者を連結させている。（図１）この場合、典型的にはこのサイドフレームＳの側が壁などに近接されてベッドが設置される。一方、箱状フレーム構成体Ｂは、ベッドの全長に亘る長さと、ベッドの幅寸法の約５分の２を占める幅とを備え、この長さと幅とを持った天板部１、底板部２及び後板部３と、ベッドのヘッド側に位置される側板部４と、ベッドのフット側に位置される側板部４とを有し、前面５を開放させている。箱状フレーム構成体Ｂは、ヘッドボードＨの左端とフットフレームＦの左端とを結ぶ仮想の直線にその開放された前面５を沿わせるようにしてこのヘッドボードＨとフットフレームＦの左端との間に介在されて両者を連結させている。具体的には、箱状フレーム構成体Ｂはヘッド側に位置される前記側板部４をもってヘッドボードＨにボルト止めされ、フット側に位置される前記側板部４をもってフットフレームＦにボルト止めされる。サイドフレームＳと箱状フレーム構成体Ｂとの間には床板Ｐが張り込まれ、この床板Ｐと箱状フレーム構成体Ｂの天板部１がマットレスの載置面として機能するようになっている。構成されるベッドの左側が壁などに近接される場合には、サイドフレームＳを図１の左側に配し、箱状フレーム構成体Ｂを図１の右側に配するようにして、ベッドフレームを構成させる。この場合、後述の第一の抽斗体８と第二の抽斗体９及び第三の抽斗体１０との収納位置を後述のように入れ替える必要が生じる。
【００１３】
かかる箱状フレーム構成体Ｂは、ヘッドボードＨとの接合側とフットボード又はフットフレームＦとの接合側とにそれぞれ、高さと幅とを等しくする抽斗収納部６を有する。図示の例では、箱状フレーム構成体Ｂは、その内部に配される二枚の仕切り板部７、７によってその内部に三箇所の抽斗収納部６を有するようになっている。そして、ヘッド側に位置される前記側板部４とこの側に配される仕切り板部７との間の距離と、フット側に位置される前記側板部４とこの側に配される仕切り板部７との間の距離は一致するようになっている。二枚の仕切り板部７、７間の距離は側板部４と仕切り板部７との間の距離よりも大きく、中央の抽斗収納部６はヘッド側及びフット側の抽斗収納部６よりも幅を大きくするように構成されている。
【００１４】
そして、かかる箱状フレーム構成体Ｂは、
（１）ヘッド側及びフット側の抽斗収納部６のいずれか一方に略密に収納される第一の抽斗体８と、
（２）ヘッド側及びフット側の抽斗収納部６の他方の上側に収納される第二の抽斗体９と、
（３）ヘッド側及びフット側の抽斗収納部６の他方において第二の抽斗体９の下側に収納される第三の抽斗体１０と、
（４）中央の抽斗収納部６に略密に収納される第四の抽斗体１１とを有している。
【００１５】
いずれの抽斗体８、９、１０、１１も、前板８ａ、９ａ、１０ａ、１１ａを有しており、箱状フレーム構成体Ｂ内にベッドの長さ方向に直交する向きに引き出し可能に納められると共に、箱状フレーム構成体Ｂ内に押し込みきられた収納位置において前記前板８ａ、９ａ、１０ａ、１１ａによって箱状フレーム構成体Ｂの開放された前面５を塞ぐように構成されている。
【００１６】
第一の抽斗体８及び第四の抽斗体１１は箱状フレーム構成体Ｂの天板部１と底板部２との間に略亘る上下寸法を持つように構成されている。一方、第三の抽斗体１０は、箱状フレーム構成体Ｂの天板部１と底板部２との間の距離の約３分の２の上下寸法を持つように構成されている。この第一、第三及び第四の抽斗体８、１０、１１は、図示は省略するが、これらの底部と箱状フレーム構成体Ｂの底板部２との間に設けた引き出しレール（三段引きのスライドレールなど）を介して組み合わされるようになっている。ヘッド側の抽斗収納部６とフット側の抽斗収納部６とにおいて、この引き出しレールを構成するアウターレールは同じ位置に設けられており、第一の抽斗体８はこれに設けられたインナーレールをこのアウターレールに組み合わせることでヘッド側の抽斗収納部６及びフット側の抽斗収納部６のいずれにも納めることができるようになっており、また、第三の抽斗体１０もこれに設けられたインナーレールをこのアウターレールに組み合わせることでヘッド側の抽斗収納部６及びフット側の抽斗収納部６のいずれにも納めることができるようになっている。
【００１７】
一方、第二の抽斗体９は、少なくとも前面を開放させてこの開放された前面をこの第二の抽斗体９の引き出し口１２ａとした内箱体１２に収納されていると共に、ヘッド側及びフット側の抽斗収納部６の内部にはそれぞれこの内箱体１２の底部すなわち底板部１２ｃの外面部の支持部１３が形成されている。
【００１８】
かかる内箱体１２は、前記箱状フレーム構成体Ｂの側板部４と仕切り板部７との間に亘る幅と、箱状フレーム構成体Ｂの天板部１と底板部２との間の距離の約３分の１の上下寸法を持つように構成されている。かかる内箱体１２は、天板部１２ｂと底板部１２ｃとこの両板部１２ｂ、１２ｃ間に亘る側板部１２ｄとを有し、前後面をそれぞれ開放させている。図示の例では、第二の抽斗体９は、この内箱体１２の側板部１２ｄに引き出しレール１４を介して組み合わされたトレイとして構成されている。すなわち、図示の例では、第二の抽斗体９は内箱体１２の両側板部１２ｄ、１２ｄ間に略亘る平板状部９ｂと前板９ａとを有し、内箱体１２内から引き出された状態において、この平板状部９ｂの上面を載置面とするトレイとなるように構成されている。
【００１９】
支持部１３は、箱状フレーム構成体Ｂの側板部４と仕切り板部７とにそれぞれ設けられている。図示の例では、支持部１３はこの側板部４及び仕切り板部７に第二の抽斗体９の引き出し方向に長さ方向を沿わせるように止着された棒状体により構成されている。箱状フレーム構成体Ｂの底板部２からの支持部１３のレベルは、ヘッド側及びフット側の抽斗収納部６において一致している。また、支持部１３と箱状フレーム構成体Ｂの天板部１と間の距離は内箱体１２の上下寸法と略一致している。ヘッド側及びフット側の抽斗収納部６のそれぞれにおいて、一対の支持部１３、１３間の距離は、第一及び第三の抽斗体８、１０の前板８ａ、１０ａを除いた箇所の幅寸法よりも大きくなっており、この支持部１３は第一及び第三の抽斗体８、１０には接することがないようになっている。
【００２０】
以上に説明したベッドフレームによれば、これを構成する箱状フレーム構成体Ｂが、ベッドの右側に配される場合でも、左側に配される場合でも、第一の抽斗体８と内箱体１２及び第三の抽斗体１０とを単純に入れ替えることで、典型的には、この箱状フレーム構成体ＢにおけるヘッドボードＨとの接合側に第二の抽斗体９が配されるようにすることができる。すなわち、第二の抽斗体９は前記支持部１３に支持される内箱体１２に納められるようになっていることから、かかる二箇所の抽斗収納部６、６のどちらの内部にもこの支持部１３上に内箱体１２を納め込めばそれだけでその下方に第三の抽斗体１０の収納スペースを確保した状態で第二の抽斗体９は容易かつ適切に設置させることができる。それと共に、この支持部１３下において設置される第一の抽斗体８及び第三の抽斗体１０に対する図示しない引き出しレールによって、前記二箇所の抽斗収納部６のうち、第二の抽斗体９の設置されない抽斗収納部６には、第一の抽斗体８を支障なく収納させることができる。
【００２１】
この実施の形態にあってはまた、ヘッド側及びフット側の抽斗収納部６においてそれぞれ、これを構成する箱状フレーム構成体Ｂの天板部１に、内箱体１２の引き出し口１２ａ側の天板部１２ｂに形成されたボルトの通し孔１２ｅに挿通されるボルト１６のネジつけられるナット体１５が備えられている。図示の例では、内箱体１２の幅方向略中程の位置にかかる通し孔１２ｅが形成されている。一方、ヘッド側及びフット側の抽斗収納部６を構成する箱状フレーム構成体Ｂの天板部１であって、第二の抽斗体９の前板９ａが箱状フレーム構成体Ｂの天板部１の前端と略同じ位置に位置されるまでこれを納めた内箱体１２を抽斗収納部６に納め入れた状態において通し孔１２ｅの直上に位置される箇所に、鬼目ナット１５ａが埋め込まれており、この鬼目ナット１５ａが前記ナット体１５として機能するようになっている。また、内箱体１２の底板部１２ｃにおけるボルトの通し孔１２ｅの直下となる位置には操作用開放部１２ｆが形成されている。これにより、この実施の形態にあっては、前記ヘッド側及びフット側の抽斗収納部６、６のいずれかの支持部１３上に内箱体１２を納めた状態を前記ナット体１５へのボルト１６のネジつけにより安定的に維持させることができる。また、前記操作用開放部１２ｆによって、このボルトのネジつけ作業を内箱体１２の直下位置から容易に行うことができる。図示の例では、第二の抽斗体９は、内箱体１２をこのようにボルト止めした後、この内箱体１２内に納め入れられることとなる。
【符号の説明】
【００２２】
Ｈ  ヘッドボード
Ｆ  フットフレーム
Ｂ  箱状フレーム構成体
６  抽斗収納部
８  第一の抽斗体
９  第二の抽斗体
１０  第三の抽斗体
１２  内箱体
１２ａ  引き出し口
１３  支持部
【図１】
0005572010.tif 000002
【図２】
0005572010.tif 000003
【図３】
0005572010.tif 000004
【図４】
0005572010.tif 000005